(57)【要約】【課題】本発明は、簡便な手段により遭難者への迅速な接近を図り、その救出を的確に行えるようにした、空気圧展張式救助装置を提供することを課題とする。【解決手段】回転ドラム３において、大径ホース１に小径ホース２を沿わせたまま両ホース１，２が巻回されており、小径ホース２の基端部は回転ドラム３の中空回転軸に接続されて、同中空回転軸にシールを介し同心的に相対回転可能に接続された送気用配管６が設けられている。大径ホース１の先端部にはキャップ９が施されているので、小径ホース２を通じて空気が圧入されると、大径ホース１は、その先端から膨らみ始めて、水上の遭難者などへ向け迅速に展張される。【選択図】　　　　図１
2004041505.tif 000002
【特許請求の範囲】
【請求項１】
折り畳み可能の救助用大径ホースと、同大径ホースに沿って設けられた駆動用小径ホースと、同小径ホースの基端部から同小径ホース内へ空気を圧入しうる空気圧入手段とを備え、上記小径ホースを通じて上記大径ホース内へ噴出する空気により同大径ホースを順次膨らませながら展張すべく、同大径ホースの先端部が密封されて、同大径ホースの先端部内へ上記小径ホースの先端部が開口していることを特徴とする、空気圧展張式救助装置。
【請求項２】
請求項１に記載の空気圧展張式救助装置において、上記大径ホースに上記小径ホースを沿わせたまま両ホースを巻回する回転ドラムが設けられ、上記小径ホースの基端部が上記回転ドラムの中空回転軸に接続されて、同中空回転軸にシールを介し同心的に相対回転可能に接続された送気用配管が設けられていることを特徴とする、空気圧展張式救助装置。
【請求項３】
請求項１に記載の空気圧展張式救助装置において、上記大径ホースが多数の筒状体をベローズにより順次接続することによって折り畳み可能に形成され、同大径ホースの内部に沿って上記小径ホースが設けられていることを特徴とする、空気圧展張式救助装置。
【請求項４】
請求項１に記載の空気圧展張式救助装置において、上記大径ホースが、膜状筒壁と同膜状筒壁の周面に沿う多数のリング部材とからなるランターン構造を有し、同ランターン構造の内部に上記小径ホースが格納可能に設けられていることを特徴とする、空気圧展張式救助装置。
【請求項５】
複数の折り畳み可能の救助用大径ホースと、同大径ホースへの空気圧入手段とを搭載する自走式浮体と、同浮体の遠隔操縦手段と、上記空気圧入手段による上記大径ホースへの空気圧入のための遠隔制御手段とが設けられたことを特徴とする、空気圧展張式救助装置。
【発明の詳細な説明】
【０００１】
【発明の属する技術分野】
本発明は、水難救助やビル火災発生時の救助にも使用可能の空気圧展張式救助装置に関する。
【０００２】
【従来の技術】
従来、沖合で転覆したボートなどの乗員を救助したり、疲労した遠泳グループを救助したりする手段としては、岸辺からレスキュー隊員が泳いで現場へ接近することが行われているが、レスキュー隊員の人数には限りがあり、また救助艇の出動までには時間がかかりすぎるという不具合がある。
またビル火災の際には、高所で救いを求める人々に救出手段を迅速に接近させることが難しいという問題点がある。
【０００３】
【発明が解決しようとする課題】
そこで本発明は、簡便な手段により遭難者への迅速な接近を図り、その救出を的確に行えるようにした、空気圧展張式救助装置を提供することを課題とする。
【０００４】
【課題を解決するための手段】
前述の課題を解決するため、本発明の空気圧展張式救助装置は、折り畳み可能の救助用大径ホースと、同大径ホースに沿って設けられた駆動用小径ホースと、同小径ホースの基端部から同小径ホース内へ空気を圧入しうる空気圧入手段とを備え、上記小径ホースを通じて上記大径ホース内へ噴出する空気により同大径ホースを順次膨らませながら展張すべく、同大径ホースの先端部が密封されて、同大径ホースの先端部内へ上記小径ホースの先端部が開口していることを特徴としている。
【０００５】
また、本発明の空気圧展張式救助装置は、上記大径ホースに上記小径ホースを沿わせたまま両ホースを巻回する回転ドラムが設けられ、上記小径ホースの基端部が上記回転ドラムの中空回転軸に接続されて、同中空回転軸にシールを介し同心的に相対回転可能に接続された送気用配管が設けられていることを特徴としている。
【０００６】
さらに、本発明の空気圧展張式救助装置は、上記大径ホースが多数の筒状体をベローズにより順次接続することによって折り畳み可能に形成され、同大径ホースの内部に沿って上記小径ホースが設けられていることを特徴としている。
【０００７】
また、本発明の空気圧展張式救助装置は、上記大径ホースが、膜状筒壁と同膜状筒壁の周面に沿う多数のリング部材とからなるランターン構造を有し、同ランターン構造の内部に上記小径ホースが格納可能に設けられていることを特徴としている。
【０００８】
さらに、本発明の空気圧展張式救助装置は、複数の折り畳み可能の救助用大径ホースと、同大径ホースへの空気圧入手段とを搭載する自走式浮体と、同浮体の遠隔操縦手段と、上記空気圧入手段による上記大径ホースへの空気圧入のための遠隔制御手段とが設けられたことを特徴としている。
【０００９】
上述の本発明の空気圧展張式救助装置では、空気圧入手段により小径ホースの基端部から圧入された空気が、同小径ホースの先端部から大径ホースの先端部内へ噴出して、同大径ホースを折り畳み状態から膨張させながら展張するので、この大径ホースを浮体として水面に沿い水難者へ向け伸張させたり、ビルの外壁面に沿い高所の火災遭難者へ向け伸張させたりして、救助活動を迅速に行うことが可能になる。
【００１０】
また、上記大径ホースに上記小径ホースを沿わせたまま両ホースを巻回する回転ドラムが設けられていると、常時は大径ホースが偏平に折り畳まれた状態で小径ホースと共に上記回転ドラムにコンパクトに巻き付けられて格納される利点があり、使用時には小径ホースを通じ空気を圧入される大径ホースが小径ホースと共に上記回転ドラムを回転させながら伸張するので、救助を求める人々へのアクセスが迅速に行われるようになる。
【００１１】
そして、上記小径ホースへの空気の圧入は、上記回転ドラムの中空回転軸にシールを介し同心的に相対回転可能に接続された送気用配管を介して行われるので、同小径ホースが上記回転ドラムに巻き付けられた状態で回転しても同小径ホースへの空気の圧入に支障をきたすことはない。
【００１２】
さらに、上記大径ホースが多数の筒状体をベローズにより順次接続することによって折り畳み可能に形成され、同大径ホースの内部に沿って上記小径ホースが設けられている場合も、空気圧入手段により小径ホースの基端部から圧入された空気が、同小径ホースの先端部から大径ホースの先端部内へ噴出して、同大径ホースを折り畳み状態から膨張させながら展張するので、この大径ホースを遭難者へ向け迅速に到達させることができる。
【００１３】
また、上記大径ホースが、膜状筒壁と同膜状筒壁の周面に沿う多数のリング部材とからなるランターン構造を有し、同ランターン構造の内部に上記小径ホースが格納可能に設けられている場合は、上記小径ホースへの空気圧入に伴い、ランターン構造の大径ホースが、その折り畳まれていた膜状筒壁を伸張させるようにして迅速に突出するようになり、このようにして遭難者へのアクセスが能率よく達成されるようになる。
【００１４】
さらに、複数の折り畳み可能の救助用大径ホースと、同大径ホースへの空気圧入手段とを搭載する自走式浮体と、同浮体の遠隔操縦手段と、上記空気圧入手段による上記大径ホースへの空気圧入のための遠隔制御手段とが設けられていると、遠隔制御により上記浮体を水難者の近傍まで操縦し、ついで上記空気圧入手段から上記大径ホースへの空気圧入も遠隔制御により行われるので、これに伴う上記大径ホースの水上への展張により、多数の遭難者への救助作業が迅速に行われるようになる。
【００１５】
【発明の実施の形態】
以下、図面により本発明の実施形態について説明すると、図１は本発明の第１実施形態としての空気圧展張式救助装置の全体構成を概略的に示す斜視図、図２は図１の装置における回転ドラムの縦断面図、図３は図１の装置における大径ホースの先端部を部分的に破断して示す斜視図、図４は図１の装置の使用例を示す説明図、図５は本発明の第２実施形態としての空気圧展張式救助装置を概略的に示す説明図、図６は本発明の第３実施形態としての空気圧展張式救助装置の要部を概略的に示す斜視図、図７は本発明の第４実施形態としての空気圧展張式救助装置を概略的に示す説明図である。
【００１６】
まず、本発明の第１実施形態について説明すると、図１に示すように、偏平に折り畳み可能の救助用大径ホース１と、同大径ホース１の内部に沿って設けられた駆動用小径ホース２とが、回転ドラム３に巻回されており、小径ホース２の基端部２ｆには高圧空気タンク４からバルブ５および送気用配管６を介して圧縮空気が送給されるようになっている。
【００１７】
すなわち、図２に示すごとく、小径ホース２の基端部２ｆは回転ドラム３の中空回転軸３ａに接続されて、同中空回転軸３ａにシール３ｂを介し送気用配管６が同心的に相対回転可能に接続される。なお、高圧空気タンク４には、モーター７で駆動されるコンプレッサー８から高圧空気の圧入が行われる。
【００１８】
図３に示すように、大径ホース１の先端部はキャップ９により密封されており、同キャップ９は、大径ホース１の先端部を拡開状態に維持するとともに、同キャップ９から内方へ突設されたステイ１０により小径ホース２の先端開口部２ａを支持している。
【００１９】
このようにして、大径ホース１の先端部内に小径ホース２の先端部が開口しているが、小径ホース２が大径ホース１の外面に沿って配設される場合（鎖線図示参照）も、図３に示すように、小径ホース２の先端開口部２ａは大径ホース１の先端部内に開口するように配設されている。
【００２０】
図４は、上述の第１実施形態の変形例を示すもので、ドラム３に巻回された大径ホース１および図示しない小径ホースが、先端部にフック１１ａ付き軽量台車１１を装着されて、同台車１１が、大径ホース１の伸張に伴いビル１２の壁面に沿って上方の火災遭難者Ａに向け走行可能に設けられている。なお、図４において、符号１３はホース案内部を示し、１４は上記ホースに送気するための送気設備を示している。
【００２１】
上述の第１実施形態の空気圧展張式救助装置では、空気圧入手段により小径ホース２の基端部から圧入された空気が、同小径ホース２の先端開口部２ａから大径ホース１の先端部内へ噴出して、同大径ホース１を折り畳み状態から膨張させながら展張するので、この大径ホース１を浮体として水面に沿い水難者へ向け伸張させたり、ビル１２の外壁面に沿い高所の火災遭難者Ａへ向け伸張させたりして、救助活動を迅速に行うことが可能になる。
【００２２】
また、大径ホース１に小径ホース２を沿わせたまま両ホース１，２を巻回する回転ドラム３が設けられているので、常時は大径ホース１が偏平に折り畳まれた状態で小径ホース２と共に回転ドラム３にコンパクトに巻き付けられて格納される利点があり、使用時には小径ホース２を通じ空気を圧入される大径ホース１が小径ホース２と共に回転ドラム３を回転させながら伸張するので、救助を求める人々へのアクセスが迅速に行われるようになる。
【００２３】
そして、小径ホース２への空気の圧入は、回転ドラム３の中空回転軸３ａにシール３ｂを介し同心的に相対回転可能に接続された送気用配管６を介して行われるので、同小径ホース２が回転ドラム３に巻き付けられた状態で回転しても同小径ホース２への空気の圧入に支障をきたすことはない。
【００２４】
次に、本発明の第２実施形態としての空気圧展張式救助装置について説明すると、図５に示すように、本実施形態では大径ホース１が多数の筒状体１ａをベローズ１ｂで順次接続することにより折り畳み可能に形成されており、同大径ホース１の内部に沿って小径ホース２が設けられている。
【００２５】
そして、小径ホース２の先端部が、大径ホース１の密封された先端部の内部に開口している。
また、小径ホース２の基端部は、モーター７で駆動されるコンプレッサー８にバルブ８ａを介して接続された高圧空気タンク４に、バルブ５を介して接続されている。なお、本実施形態においても、大径ホース１の先端部には、第１実施形態と同様のキャップ９が施されている。
【００２６】
このようにして、この第２実施形態の場合も、前述の第１実施形態と同様に、常時はコンパクトに格納される大径ホース１を、使用時には遭難者へ向け展張させるようにして、救助作業を迅速に行うことができる。
【００２７】
次に図６に示す本発明の第３実施形態では、大径ホース１としてランターン構造ものもが採用されている。すなわち、大径ホース１は膜状筒壁１ｆと、同膜状筒壁１ｆの周面に沿う多数のリング部材１Ｒとによってランターン（提灯）のごとく伸縮できるように構成されており、その先端部には第１実施形態と同様のキャップ９が装着されている。
【００２８】
そして、大径ホース１の内部に格納可能に配設された小径ホース２の先端部が大径ホース１の先端部内に開口している。
また、小径ホース２の基端部は、図示しないバルブを介して高圧空気源に接続されている。
【００２９】
上述の第３実施形態では、小径ホース２への空気圧入に伴い、ランターン構造の大径ホース１が、その折り畳まれていた膜状筒壁１ｆを伸張させるようにして迅速に突出するようになり、このようにして遭難者へのアクセスが能率よく達成されるようになる。
【００３０】
次に、図７に示す本発明の第４実施形態としての空気圧展張式救助装置について説明すると、本実施形態では、水難救助のため遠隔操縦されるリング状ゴムボートとしての浮体１５に、空気圧展張式の救助手段が搭載されている。
【００３１】
すなわち、浮体１５には高圧の空気を内蔵する空気ボンベ１６が搭載されるとともに、この空気圧入手段としての空気ボンベ１６に遠隔制御式電磁バルブ１７を介して接続された小径ホース２と、同小径ホース２を内蔵するランターン構造の大径ホース１とからなる複数の空気圧展張式救助手段が放射状に配設されている。そして、各大径ホース１の先端は密閉されている。
【００３２】
また、浮体１５の遠隔操縦は、バッテリー１８からの給電により作動するモーター付き水ポンプ１９の遠隔制御と、同水ポンプ１９からの給水によりジェット水を噴出しうる多数のノズル２０に付された電磁バルブ２１の選択的遠隔制御とによる推進操舵機能を用いて行われる。なお、図７において、符号２２は上述の遠隔制御のための発信装置を示している。
【００３３】
上述の第４実施形態における空気圧展張式救助手段は、前述の第３実施形態において述べたものと同様に構成されているが、浮体１５に搭載される空気圧展張式救助手段としては他の実施形態において述べたものを採用してもよい。
【００３４】
このようにして、上述の第４実施形態では、遠隔制御により浮体１５を水難者の近傍まで操縦し、ついで空気圧入手段として空気ボンベ１６から小径ホース２への空気圧入も遠隔制御により行われるので、これに伴う複数の大径ホース１の水上への展張により、多数の遭難者への救助作業が迅速に行われるようになる。
【００３５】
なお、この第４実施形態では、小径ホース２を省略して、大径ホース１へ直接空気を圧入するようにしてもよい。
また、各実施形態における大径ホース１には、その材質として発光材料を混入するか、またはその表面に発光材を塗布することにより、あるいは発光ダイオード（ＬＥＤ）や照明器具などの発光体を装着することにより、発光機能をもたせることが望ましく、これにより夜間の救出作業に役立つことができる。
【００３６】
【発明の効果】
以上詳述したように、本発明の空気圧展張式救助装置によれば次のような効果が得られる。
（１）　空気圧入手段により小径ホースの基端部から圧入された空気が、同小径ホースの先端部から大径ホースの先端部内へ噴出して、同大径ホースを折り畳み状態から膨張させながら展張するので、この大径ホースを浮体として水面に沿い水難者へ向け伸張させたり、ビルの外壁面に沿い高所の火災遭難者へ向け伸張させたりして、救助活動を迅速に行うことが可能になる。
（２）　上記大径ホースに上記小径ホースを沿わせたまま両ホースを巻回する回転ドラムが設けられていると、常時は大径ホースが偏平に折り畳まれた状態で小径ホースと共に上記回転ドラムにコンパクトに巻き付けられて格納される利点があり、使用時には小径ホースを通じ空気を圧入される大径ホースが小径ホースと共に上記回転ドラムを回転させながら伸張するので、救助を求める人々へのアクセスが迅速に行われるようになる。そして、上記小径ホースへの空気の圧入は、上記回転ドラムの中空回転軸にシールを介し同心的に接続された送気用配管を介して行われるので、同小径ホースが上記回転ドラムに巻き付けられた状態で回転しても同小径ホースへの空気の圧入に支障をきたすことはない。
（３）　上記大径ホースが多数の筒状体をベローズにより順次接続することにより折り畳み可能に形成され、同大径ホースの内部に沿って上記小径ホースが設けられている場合も、空気圧入手段により小径ホースの基端部から圧入された空気が、同小径ホースの先端部から大径ホースの先端部内へ噴出して、同大径ホースを折り畳み状態から膨張させながら展張するので、この大径ホースを遭難者へ向け迅速に到達させることができる。
（４）　上記大径ホースが、膜状筒壁と同膜状筒壁の周面に沿う多数のリング部材とからなるランターン構造を有し、同ランターン構造の内部に上記小径ホースが格納可能に設けられている場合は、上記小径ホースへの空気圧入に伴い、ランターン構造の大径ホースが、その折り畳まれていた膜状筒壁を伸張させるようにして迅速に突出するようになり、このようにして遭難者へのアクセスが能率よく達成されるようになる。
（５）　複数の大径ホースと、同大径ホースへの空気圧入手段とを搭載する自走式浮体と、同浮体の遠隔操縦手段と、上記空気圧入手段による上記大径ホースへの空気圧入のための遠隔制御手段とが設けられていると、遠隔制御により上記浮体を水難者の近傍まで操縦し、ついで上記空気圧入手段から上記大径ホースへの空気圧入も遠隔制御により行われるので、これに伴う上記複数の大径ホースの水上への展張により、多数の遭難者への救助作業が迅速に行われるようになる。
【図面の簡単な説明】
【図１】本発明の第１実施形態としての空気圧展張式救助装置の全体構成を概略的に示す斜視図である。
【図２】図１の装置における回転ドラムの縦断面図である。
【図３】図１の装置における大径ホースの先端部を部分的に破断して示す斜視図である。
【図４】図１の装置の使用例を示す説明図である。
【図５】本発明の第２実施形態としての空気圧展張式救助装置を概略的に示す説明図である。
【図６】本発明の第３実施形態としての空気圧展張式救助装置の要部を概略的に示す斜視図である。
【図７】本発明の第４実施形態としての空気圧展張式救助装置を概略的に示す説明図である。
【符号の説明】
１　大径ホース
１ａ　筒状体
１ｂ　ベローズ
１ｆ　膜状筒壁
１Ｒ　リング部材
２　小径ホース
２ａ　小径ホース先端開口部
２ｆ　小径ホース基端部
３　回転ドラム
３ａ　中空回転軸
３ｂ　シール
４　空気タンク
５　バルブ
６　送気用配管
７　モーター
８　コンプレッサー
８ａ　バルブ
９　キャップ
１０　ステイ
１１　軽量台車
１１ａ　フック
１２　ビル
１３　ホース案内部
１４　送気設備
１５　浮体
１６　空気ボンベ
１７　電磁バルブ
１８　バッテリー
１９　水ポンプ
２０　ノズル
２１　電磁バルブ
２２　発信装置
Ａ　火災遭難者
【図１】
2004041505.tif 000003
【図２】
2004041505.tif 000004
【図３】
2004041505.tif 000005
【図４】
2004041505.tif 000006
【図５】
2004041505.tif 000007
【図６】
2004041505.tif 000008
【図７】
2004041505.tif 000009